【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
画像を画面に表示する表示パネルと、
前記画面に対するユーザの相対位置を検出する検出手段と、
前記ユーザが前記画面に表示された画像を見た場合に、前記画面に直交する方向に対する前記ユーザの視線の角度が所定の角度以下となるように、前記ユーザの相対位置に基づいて、前記画面において前記画像が表示される領域である表示領域を決定する決定手段と、
前記決定手段が決定した前記表示領域に前記画像が表示されるように、前記表示パネルの制御を行う制御手段と、
を備えることを特徴とする画像表示装置。
【請求項２】
前記画面に直交する方向に対する前記ユーザの前記視線の角度が前記所定の角度以下の場合に前記ユーザが認識する色および輝度の一方と、前記画面に直交する方向に対する前記ユーザの前記視線の角度が０の場合に前記ユーザが認識する色および輝度の前記一方との差異が、所定の許容値よりも小さい
ことを特徴とする請求項１に記載の画像表示装置。
【請求項３】
前記表示パネルは、前記画面に直交する方向に対する前記画面の水平方向における前記ユーザの視線の角度が第１角度以下の場合に前記ユーザが認識する色および輝度の一方と、前記視線の角度が０の場合に前記ユーザが認識する色および輝度の前記一方との差異が所定の許容値以下となるものであって、
前記決定手段は、前記ユーザの位置から前記表示領域の水平方向両端それぞれを見たときの、前記画面の水平方向における前記画面に直交する方向に対する前記ユーザの視線の角度が前記第１角度以下となるように、前記表示領域の水平方向の範囲を決定する
ことを特徴とする請求項１または請求項２に記載の画像表示装置。
【請求項４】
前記表示パネルは、前記画面に直交する方向に対する前記画面の垂直方向における前記ユーザの視線の角度が第２角度以下の場合に前記ユーザが認識する色および輝度の一方と、前記視線の角度が０の場合に前記ユーザが認識する色および輝度の前記一方との差異が所定の許容値以下となるものであって、
前記決定手段は、前記ユーザの位置から前記表示領域の垂直方向両端それぞれを見たと
きの、前記画面の垂直方向における前記画面に直交する方向に対する前記ユーザの視線の角度が前記第２角度以下となるように、前記表示領域の垂直方向の範囲を決定する
ことを特徴とする請求項１乃至請求項３のいずれか１項に記載の画像表示装置。
【請求項５】
前記検出手段は、前記画面に対する複数のユーザのそれぞれの相対位置を検出し、
前記決定手段は、前記複数のユーザのそれぞれの相対位置を用いて、前記複数のユーザに対応する複数の表示領域を決定する
ことを特徴とする請求項１乃至請求項４のいずれか１項に記載の画像表示装置。
【請求項６】
前記決定手段が決定した前記複数の表示領域のうち第１の表示領域の中に、前記複数の表示領域のうち第２の表示領域がある場合に、前記第２の表示領域と同じ領域となるように前記第１の表示領域を変更する変更手段を備える
ことを特徴とする請求項５に記載の画像表示装置。
【請求項７】
前記決定手段が決定した前記複数の表示領域のうち第１の表示領域の少なくとも一部が、前記複数の表示領域のうち第２の表示領域に重なっている場合に、前記第１の表示領域と前記第２の表示領域とが重なり合わないように、前記第１の表示領域と前記第２の表示領域の少なくとも一方を縮小する変更手段を備える
ことを特徴とする請求項５に記載の画像表示装置。
【請求項８】
前記複数の表示領域に表示される複数の画像のそれぞれに、前記複数のユーザのうちいずれのユーザが対応しているかを通知する画像を生成する通知手段を備える
ことを特徴とする請求項５乃至請求項７のいずれか１項に記載の画像表示装置。
【請求項９】
画像を画面に表示する表示パネルを備える画像表示装置の制御方法であって、
前記画面に対するユーザの相対位置を検出する検出ステップと、
前記ユーザが前記画面に表示された画像を見た場合に、前記画面に直交する方向に対する前記ユーザの視線の角度が所定の角度以下となるように、前記ユーザの相対位置に基づいて、前記画面において前記画像が表示される領域である表示領域を決定する決定ステップと、
前記決定ステップにおいて決定された前記表示領域に前記画像が表示されるように、前記表示パネルの制御を行う制御ステップと、
を有することを特徴とする画像表示装置の制御方法。
【請求項１０】
前記画面に直交する方向に対する前記ユーザの前記視線の角度が前記所定の角度以下の場合に前記ユーザが認識する色および輝度の一方と、前記画面に直交する方向に対する前記ユーザの前記視線の角度が０の場合に前記ユーザが認識する色および輝度の前記一方との差異が、所定の許容値よりも小さい
ことを特徴とする請求項９に記載の画像表示装置の制御方法。
【請求項１１】
前記表示パネルは、前記画面に直交する方向に対する前記画面の水平方向における前記ユーザの視線の角度が第１角度以下の場合に前記ユーザが認識する色および輝度の一方と、前記視線の角度が０の場合に前記ユーザが認識する色および輝度の前記一方との差異が所定の許容値以下となるものであって、
前記決定ステップでは、前記ユーザの位置から前記表示領域の水平方向両端それぞれを見たときの、前記画面の水平方向における前記画面に直交する方向に対する前記ユーザの視線の角度が前記第１角度以下となるように、前記表示領域の水平方向の範囲を決定することを特徴とする請求項９または請求項１０に記載の画像表示装置の制御方法。
【請求項１２】
前記表示パネルは、前記画面に直交する方向に対する前記画面の垂直方向における前記
ユーザの視線の角度が第２角度以下の場合に前記ユーザが認識する色および輝度の一方と、前記視線の角度が０の場合に前記ユーザが認識する色および輝度の前記一方との差異が所定の許容値以下となるものであって、
前記決定ステップでは、前記ユーザの位置から前記表示領域の垂直方向両端それぞれを見たときの、前記画面の垂直方向における前記画面に直交する方向に対する前記ユーザの視線の角度が前記第２角度以下となるように、前記表示領域の垂直方向の範囲を決定することを特徴とする請求項９乃至請求項１１のいずれか１項に記載の画像表示装置の制御方法。
【請求項１３】
前記検出ステップでは、前記画面に対する複数のユーザのそれぞれの相対位置を検出し、
前記決定ステップでは、前記複数のユーザのそれぞれの相対位置を用いて、前記複数のユーザに対応する複数の表示領域を決定する
ことを特徴とする請求項９乃至請求項１２のいずれか１項に記載の画像表示装置の制御方法。
【請求項１４】
前記決定ステップにおいて決定された前記複数の表示領域のうち第１の表示領域の中に、前記複数の表示領域のうち第２の表示領域がある場合に、前記第２の表示領域と同じ領域となるように前記第１の表示領域を変更する変更ステップを有する
ことを特徴とする請求項１３に記載の画像表示装置の制御方法。
【請求項１５】
前記決定ステップにおいて決定された前記複数の表示領域のうち第１の表示領域の少なくとも一部が、前記複数の表示領域のうち第２の表示領域に重なっている場合に、前記第１の表示領域と前記第２の表示領域とが重なり合わないように、前記第１の表示領域と前記第２の表示領域の少なくとも一方を縮小する変更ステップを有する
ことを特徴とする請求項１３に記載の画像表示装置の制御方法。
【請求項１６】
前記複数の表示領域に表示される複数の画像のそれぞれに、前記複数のユーザのうちいずれのユーザが対応しているかを通知する画像を生成する通知ステップを有する
ことを特徴とする請求項１３乃至請求項１５のいずれか１項に記載の画像表示装置の制御方法。
【手続補正２】
【補正対象書類名】明細書
【補正対象項目名】０００８
【補正方法】変更
【補正の内容】
【０００８】
本発明の第１の態様は、
画像を画面に表示する表示パネルと、
前記画面に対するユーザの相対位置を検出する検出手段と、
前記ユーザが前記画面に表示された画像を見た場合に、前記画面に直交する方向に対する前記ユーザの視線の角度が所定の角度以下となるように、前記ユーザの相対位置に基づいて、前記画面において前記画像が表示される領域である表示領域を決定する決定手段と、
前記決定手段が決定した前記表示領域に前記画像が表示されるように、前記表示パネルの制御を行う制御手段と、
を備えることを特徴とする画像表示装置である。
【手続補正３】
【補正対象書類名】明細書
【補正対象項目名】０００９
【補正方法】変更
【補正の内容】
【０００９】
本発明の第２の態様は、
画像を画面に表示する表示パネルを備える画像表示装置の制御方法であって、
前記画面に対するユーザの相対位置を検出する検出ステップと、
前記ユーザが前記画面に表示された画像を見た場合に、前記画面に直交する方向に対する前記ユーザの視線の角度が所定の角度以下となるように、前記ユーザの相対位置に基づいて、前記画面において前記画像が表示される領域である表示領域を決定する決定ステップと、
前記決定ステップにおいて決定された前記表示領域に前記画像が表示されるように、前記表示パネルの制御を行う制御ステップと、
を有することを特徴とする画像表示装置の制御方法である。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】